(57)【要約】  【課題】  引き出しユニットの操作レバーが無理に回されることによる部品破壊を未然に防止することができる画像形成装置を提供する。  【解決手段】  複写装置は、本体１００と、本体１００の内部に設けられて複数の部品を保持して本体１００に対しスライド自在に動作する引き出しユニット５００とを備え、引き出しユニット５００は、回転動作させられることによって本体１００に対して引き出しユニット５００を固定する操作レバー５０２と、本体１００から引き出しユニット５００を引き出したときに操作レバー５０２の支軸の回転動作を抑制するロック部材と、警告表示部を有し支軸に固定されて支軸の回転動作とともに回転する警告表示部材５１０とを有する。【選択図】  図２
2007052276.tif 000002
【特許請求の範囲】
【請求項１】
本体と、前記本体の内部に設けられて複数の部品を保持して前記本体に対しスライド自在に動作する引き出しユニットとを備え、
前記引き出しユニットは、回転動作させられることによって前記本体に対して前記引き出しユニットを固定する操作レバーと、前記本体から前記引き出しユニットを引き出したときに前記操作レバーの支軸の回転動作を抑制するロック部材と、警告表示部を有し前記支軸に固定されて前記支軸の回転動作とともに回転する警告表示部材とを備えたことを特徴とする画像形成装置。
【請求項２】
前記引き出しユニットは、前記ロック部材によって前記支軸の回転動作が抑制されている状態で前記支軸が回転動作させられて変形したときに前記警告表示部が視認可能な位置に小窓が形成された筐体カバーを備えたことを特徴とする請求項１に記載の画像形成装置。
【請求項３】
前記小窓は、前記ロック部材によって前記支軸の回転動作が抑制されている状態で前記引き出しユニットの構成部品の破壊強度以下の操作力で前記支軸が回転動作させられて変形したときに前記警告表示部が視認可能な位置に形成されたことを特徴とする請求項２に記載の画像形成装置。
【発明の詳細な説明】
【技術分野】
【０００１】
本発明は、複数のユニット及び機構部品を保持し、スライドレールにて本体に対し前後方向にスライド自在に動作する引き出しユニットを有した複写機、プリンタ、ＦＡＸ等フルカラー画像形成装置等に関するものである。
【背景技術】
【０００２】
従来、電子写真装置の転写紙搬送経路で発生した紙詰まりにおいて、残紙を除去する際の操作性を向上するための手段として、転写紙搬送に関連するユニットをスライド機構を設けて手前に引き出し、視認性とアクセス性を良くする方法がある。
【特許文献１】特開２００４−４５５３８号公報（第１９頁、第２２図）
【発明の開示】
【発明が解決しようとする課題】
【０００３】
しかしながら、従来の電子写真装置においては、引き出すユニット数が増大して引き出しユニットが大型化してくると、それに伴い引き出し操作力が増える傾向にある。また、着脱時の嵌合機構も複雑になる傾向がある。特に、引き出しユニットのセット時に何らかの嵌合性の不具合が発生した場合、操作レバーが操作できない状態にあるにもかかわらず無理に操作しようとして部品を破損してしまうなどの不具合が起きる場合がある。
【０００４】
本発明は、このような異常状態を判別する機構を提供し、構成部品の破損を防止すると共にユーザビリティの向上を実現するものである。
【課題を解決するための手段】
【０００５】
本発明の画像形成装置は、本体と、前記本体の内部に設けられて複数の部品を保持して前記本体に対しスライド自在に動作する引き出しユニットとを備え、前記引き出しユニットは、回転動作させられることによって前記本体に対して前記引き出しユニットを固定する操作レバーと、前記本体から前記引き出しユニットを引き出したときに前記操作レバーの支軸の回転動作を抑制するロック部材と、警告表示部を有し前記支軸に固定されて前記支軸の回転動作とともに回転する警告表示部材とを備えた構成を有している。
【０００６】
この構成により、本発明の画像形成装置は、操作レバーがロックされていて回転操作不可の状態にもかかわらず誤操作により無理に回された場合、無理に回していることを警告表示部によってユーザーに認知させることができるので、部品破壊を未然に防止することができる。
【０００７】
また、本発明の画像形成装置は、前記引き出しユニットは、前記ロック部材によって前記支軸の回転動作が抑制されている状態で前記支軸が回転動作させられて変形したときに前記警告表示部が視認可能な位置に小窓が形成された筐体カバーを備えた構成を有している。
【０００８】
また、本発明の画像形成装置は、前記小窓は、前記ロック部材によって前記支軸の回転動作が抑制されている状態で前記引き出しユニットの構成部品の破壊強度以下の操作力で前記支軸が回転動作させられて変形したときに前記警告表示部が視認可能な位置に形成された構成を有している。
【発明の効果】
【０００９】
本発明により、操作レバーがロックされていて回転操作不可の状態にもかかわらず誤操作により無理に回された場合、無理に回していることを警告表示によってユーザーに認知させることができるので、部品破壊を未然に防止することができる。
【発明を実施するための最良の形態】
【００１０】
以下、図面を参照しつつ、本発明の実施の形態について説明する。
【００１１】
図１は、本発明の一実施の形態を示すもので、画像形成装置としてのタンデム型間接転写方式の電子写真装置である。
【００１２】
図中符号１００は本体、２００は本体１００を載せる給紙テーブル、３００は本体１００上に取り付けるスキャナ、４００はさらにスキャナ３００の上に取り付ける原稿自動搬送装置（ＡＤＦ）である。
【００１３】
本体１００には、中央に、無端ベルト状の中間転写体１０を設ける。そして、中間転写体１０は、図示例では３つの支持ローラ１４、１５、１６に掛け回して図中時計回りに回転搬送可能とする。
【００１４】
図示例では、３つの支持ローラ１４、１５、１６のうち第２の支持ローラ１５の左に、画像転写後に中間転写体１０上に残留する残留トナーを除去する中間転写体クリーニング装置１７を設ける。
【００１５】
また、３つの支持ローラ１４、１５、１６のうち第１の支持ローラ１４と第２の支持ローラ１５との間に張り渡した中間転写体１０上には、中間転写体１０の搬送方向に沿って、イエローの画像形成手段１８Ｙと、シアンの画像形成手段１８Ｃと、マゼンタの画像形成手段１８Ｍと、ブラックの画像形成手段１８Ｋとを横に並べて配置してタンデム画像形成装置２０を構成する。
【００１６】
タンデム画像形成装置２０の上には、図１に示すように、さらに露光装置２１を設ける。
【００１７】
一方、中間転写体１０を挟んでタンデム画像形成装置２０と反対の側には、２次転写装置２２を備える。２次転写装置２２は、図示例では、２つのローラ２３間に、無端ベルトである２次転写ベルト２４を掛け渡して構成し、中間転写体１０を介して第３の支持ローラ１６に押し当てて配置し、中間転写体１０上の画像をシートに転写する。
【００１８】
２次転写装置２２の横には、シート上の転写画像を定着する定着装置２５を設ける。定着装置２５は、無端ベルトである定着ベルト２６に加圧ローラ２７を押し当てて構成する。
【００１９】
上述した２次転写装置２２には、画像転写後のシートをこの定着装置２５へと搬送するシート搬送機能も備えてなる。もちろん、２次転写装置２２として転写ローラや非接触のチャージャを配置しても良く、２次転写装置２２として転写ローラや非接触のチャージャを配置する場合は、このシート搬送機能を併せて備えることは難しくなる。
【００２０】
なお、図示例では、このような２次転写装置２２および定着装置２５の下に、上述したタンデム画像形成装置２０と平行に、シートの両面に画像を記録すべくシートを反転するシート反転装置２８を備える。
【００２１】
さて、いまこのカラー電子写真装置を用いてコピーをとるときは、原稿自動搬送装置４００の原稿台３０上に原稿をセットする。または、原稿自動搬送装置４００を開いてスキャナ３００のコンタクトガラス３２上に原稿をセットし、原稿自動搬送装置４００を閉じてそれで押さえる。
【００２２】
そして、不図示のスタートスイッチを押すと、原稿自動搬送装置４００に原稿をセットしたときは、原稿を搬送してコンタクトガラス３２上へと移動して後、他方コンタクトガラス３２上に原稿をセットしたときは、直ちにスキャナ３００を駆動し、第１走行体３３および第２走行体３４を走行する。そして、第１走行体３３で光源から光を発射するとともに原稿面からの反射光をさらに反射して第２走行体３４に向け、第２走行体３４のミラーで反射して結像レンズ３５を通して読取りセンサ３６に入れ、原稿内容を読み取る。
【００２３】
また、不図示のスタートスイッチを押すと、不図示の駆動モータで支持ローラ１４、１５、１６の１つを回転駆動して他の２つの支持ローラを従動回転し、中間転写体１０を回転搬送する。同時に、画像形成手段１８Ｙ、１８Ｃ、１８Ｍ、１８Ｋそれぞれでその感光体４０を回転して各感光体４０上にそれぞれイエロー、シアン、マゼンタ、ブラックの単色画像を形成する。そして、中間転写体１０の搬送とともに、それらの単色画像を順次転写して中間転写体１０上に合成カラー画像を形成する。
【００２４】
一方、不図示のスタートスイッチを押すと、給紙テーブル２００の給紙ローラ４２の１つを選択回転し、ペーパーバンク４３に多段に備える給紙カセット４４の１つからシートを繰り出し、分離ローラ４５で１枚ずつ分離して給紙路４６に入れ、搬送ローラ４７で搬送して本体１００内の給紙路４８に導き、レジストローラ４９に突き当てて止める。
【００２５】
または、給紙ローラ５０を回転して手差しトレイ５１上のシートを繰り出し、分離ローラ５２で１枚ずつ分離して手差し給紙路５３に入れ、同じくレジストローラ４９に突き当てて止める。
【００２６】
そして、中間転写体１０上の合成カラー画像にタイミングを合わせてレジストローラ４９を回転し、中間転写体１０と２次転写装置２２との間にシートを送り込み、２次転写装置２２で転写してシート上にカラー画像を記録する。
【００２７】
画像転写後のシートは、２次転写装置２２で搬送して定着装置２５へと送り込み、定着装置２５で熱と圧力とを加えて転写画像を定着して後、切換爪５５で切り換えて排出ローラ５６で排出し、排紙トレイ５７上にスタックする。または、切換爪５５で切り換えてシート反転装置２８に入れ、そこで反転して再び転写位置へと導き、裏面にも画像を記録して後、排出ローラ５６で排紙トレイ５７上に排出する。
【００２８】
一方、画像転写後の中間転写体１０は、中間転写体クリーニング装置１７で、画像転写後に中間転写体１０上に残留する残留トナーを除去し、タンデム画像形成装置２０による再度の画像形成に備える。
【００２９】
ここで、レジストローラ４９は一般的には接地されて使用されることが多いが、シートの紙粉除去のためにバイアスを印加することも可能である。
【００３０】
次に上記電子写真装置の引き出しユニット構成を示す。図２において引き出しユニット５００は右スライドレール５０１及び左スライドレール（図示せず）により本体１００に対し前後方向にスライド自在に設けてある。引き出しユニット５００にはレジストローラ対４９（図１参照。）、２次転写装置２２（図１参照。）、搬送装置２４（図１参照。）、定着装置２５（図１参照。）、切換爪５５（図１参照。）等の転写紙搬送関連ユニットが設けてあり、引き出しユニット５００を引き出すことにより転写紙搬送経路が露出する構成となっている。また、引き出しユニット５００を脱着操作する際に使用する操作レバー５０２が引き出しユニットほぼ中央に設けてある。
【００３１】
引き出しユニット５００を本体１００にセットする際は、図３、４に示すように、引き出しユニット前側板５０４に設けた嵌合穴５０４ａ、５０４ｂと、本体前側板１０２に設けた嵌合ピン１０１ａ、１０１ｂとが嵌合し、同様に引き出しユニット後側板５０５（図５参照。）に設けた嵌合穴（図示せず）と、本体後側板１０３（図６参照。）に設けた嵌合ピン（図示せず）とが嵌合することにより位置決めされる。また、引き出しユニット５００のセット方向の位置決めは、本体前側板１０２に設けた嵌合ピン１０１ａ、１０１ｂや、本体後側板に設けた嵌合ピンの段差部に突き当たることにより行われる。
【００３２】
次に、引き出しユニット５００の操作レバー５０２について説明する。図５において、操作レバー５０２の支軸５０３は引き出しユニット前側板５０４と引き出しユニット後側板５０５を連通するように設けてあり、後端に設けた位置決め部材５０６が図６（ａ）に示すように本体後側板１０３の穴１０３ａに挿入され、図６（ｂ）及び図６（ｃ）に示すように支軸５０３の回転によって本体後側板１０３に位置決め部材５０６のコロ５０６ａ、５０６ｂが本体後側板１０３に転がりながら乗り上げることにより嵌合し、本体１００と引き出しユニット５００を脱着方向に対し固定している。操作レバー５０２近傍には警告表示部材５１０が設けてあり、操作レバー５０２の回転動作と一体で動作するよう固定されている。警告表示部材５１０の先端には警告表示部５１０ａがある。
【００３３】
図７に示すように、支軸５０３のコロ５０６ａ、５０６ｂ近傍にはロック部材５０７が設けられており、引き出しユニット５００が本体１００から引き抜かれた状態では支軸５０３に設けられた爪５０３ａがロック部材５０７に形成された溝５０７ａに嵌合し支軸５０３の回転動作を抑制する。また、引き出しユニット５００を本体１００にセットする動作に連動してロック部材５０７が本体後側板１０３（図６参照。）に押し込まれることにより支軸５０３の爪５０３ａと、ロック部材５０７の溝５０７ａとの嵌合が解除され、支軸５０３は回転自在となる。
【００３４】
続いて、引き出しユニットの警告表示部材５１０の表示機構について図８、図９により説明する。
【００３５】
引き出しユニット５００を本体１００（図２参照。）から引き出したときは、操作レバー５０２および警告表示部材５１０は図８のような姿勢になっている。また、ロック部材５０７（図７参照。）が機能しており操作することはできなくなっている。しかし、ユーザが間違って操作レバー５０２を無理に回そうとすると支軸５０３にねじれが発生し、操作レバー５０２および警告表示部材５１０が一定角度回転する。実際の製品は、図９に示すように、小窓５１１ａが設けられた筐体カバー５１１で警告表示部材５１０が覆われている。操作レバー５０２を無理に回し部品が破壊するねじれ量になる前に図１０に示すように小窓５１１ａを通して警告表示部５１０ａが現れるよう、位置関係を設定している。
【００３６】
なお、小窓５１１ａは、ロック部材５０７によって支軸５０３の回転動作が抑制されている状態で引き出しユニット５００の構成部品の破壊強度以下の操作力で支軸５０３が回転動作させられて変形したときに警告表示部材５１０の警告表示部５１０ａが視認可能な位置に形成されている。
【図面の簡単な説明】
【００３７】
【図１】本発明の一実施の形態に係る電子写真装置の側面図
【図２】図１に示す電子写真装置の一部の斜視図
【図３】図１に示す電子写真装置の引き出しユニットの一部の近傍の斜視図
【図４】図１に示す電子写真装置の引き出しユニットの図３に示す部分とは異なる部分の近傍の斜視図
【図５】図１に示す電子写真装置の引き出しユニットの一部の斜視図
【図６】（ａ）図１に示す電子写真装置の位置決め部材が本体後側板に嵌合する前の位置決め部材及び本体後側板の正面図  （ｂ）図１に示す電子写真装置の位置決め部材が本体後側板に嵌合する前の位置決め部材及び本体後側板の側面図  （ｃ）図１に示す電子写真装置の位置決め部材が本体後側板に嵌合したときの位置決め部材及び本体後側板の側面図
【図７】図１に示す電子写真装置の引き出しユニットの位置決め部材の近傍の斜視図
【図８】図１に示す電子写真装置の引き出しユニットの警告表示部材の近傍の斜視図
【図９】図１に示す電子写真装置の引き出しユニットの筐体カバーの近傍の斜視図
【図１０】図１に示す電子写真装置の引き出しユニットの筐体カバーの近傍の上面図
【符号の説明】
【００３８】
１００  本体
５００  引き出しユニット
５０２  操作レバー
５０３  支軸
５０７  ロック部材
５１０  警告表示部材
５１０ａ  警告表示部
５１１  筐体カバー
５１１ａ  小窓
【図１】
2007052276.tif 000003
【図２】
2007052276.tif 000004
【図３】
2007052276.tif 000005
【図４】
2007052276.tif 000006
【図５】
2007052276.tif 000007
【図６】
2007052276.tif 000008
【図７】
2007052276.tif 000009
【図８】
2007052276.tif 000010
【図９】
2007052276.tif 000011
【図１０】
2007052276.tif 000012